(57)【要約】【課題】  ステレオ／モノラルを切り替えて使用することが可能なＦＭ受信機において、消費電力を低減することが可能なＦＭ受信機を提供することである。【解決手段】  本発明のＦＭ受信機は、ステレオ／モノラルを切り替えて使用することができ、受信した信号に対して検波を行うＦＭ検波部１１と、ステレオ／モノラルのいずれを選択するかを示す制御信号に基づいて、検波された信号を、出力バッファ１９に渡すに際して、ステレオ復調部１５を介する経路とステレオ復調部１５をバイパスする経路とから、いずれかの経路を選択する切替スイッチ１３、１７とを備える。そして、ステレオ復調部１５をバイパスする経路が選択された場合に、前記制御信号に基づいて、ステレオ復調部１５への電力供給をオフにする。【選択図】  図１
2005229313.tif 000002
【特許請求の範囲】
【請求項１】
ステレオ／モノラルを切り替えて使用することが可能なＦＭ受信機において、
受信した信号に対して検波を行う検波手段と、
検波された信号が出力バッファに伝達していく２つの経路と、
前記２つの経路のいずれかを選択するスイッチ手段と、を備え、
前記２つの経路はステレオ復調部を介する経路とステレオ復調部をバイパスする経路とからなり、
前記スイッチ手段は、前記ステレオ／モノラルのいずれを選択するかを示す制御信号に基づいて、前記２つの経路のいずれかを選択し、前記ステレオ復調部をバイパスする経路が選択された場合に、前記制御信号に基づいて前記ステレオ復調部への電力供給をオフにすることを特徴とするＦＭ受信機。
【請求項２】
前記スイッチ手段は、ユーザによる外部からの切替指示に応じて、切り替わることを特徴とする請求項１記載のＦＭ受信機。
【請求項３】
前記受信した信号の強度を基準値と比較する比較手段を更に有し、
前記スイッチ手段は、前記比較手段の出力信号に基づいて、前記受信した信号が前記基準値より大きい場合に、前記ステレオ復調部を介する経路を選択し、および／または、前記受信した信号が前記基準値以下の場合に、前記ステレオ復調部をバイパスする経路を選択することを特徴とする請求項１記載のＦＭ受信機。
【請求項４】
前記ステレオ復調部は、前記ユーザによる切替指示、または、前記比較手段の出力信号に基づいて、前記ステレオ復調部を介する経路が選択された場合に、前記ステレオ復調部への電力供給をオフにすることを特徴とする請求項２、または、３記載のＦＭ受信機。
【請求項５】
前記ステレオ復調部は、多段を構成する上流側のトランジスタに、そのトランジスタを導通するような信号を与えた場合に、そのトランジスタと差動対を構成する他方のトランジスタをオフにできるような電力供給に関わる回路部分を備え、
前記制御信号によって、前記回路部分の上流側のトランジスタを導通させることによって、前記ステレオ復調部への電力供給をオフにすることを特徴とする請求項４記載のＦＭ受信機。
【請求項６】
前記スイッチ手段を、前記ステレオ復調部を介する経路と、前記ステレオ復調部をバイパスする経路との分岐の後であり、その分岐の近くに設けると共に、前記ステレオ復調部を介する経路と前記ステレオ復調部をバイパスする経路との合流の前であり、その合流の近くにも設けたことを特徴とする請求項１記載のＦＭ受信機。
【請求項７】
前記スイッチ手段によるスイッチングにおいて、さらに、前記ステレオ復調部を介する経路と前記ステレオ復調部をバイパスする経路の双方をオフにすることも可能としたことを特徴とする請求項１記載のＦＭ受信機。
【発明の詳細な説明】
【技術分野】
【０００１】
本発明は、消費電力が低減可能なＦＭ受信機に関する。
【背景技術】
【０００２】
従来、図８に示すようなＦＭ受信機においては、ＦＭ電波が不図示のアンテナ部を介して受信され、ＦＭ検波部５１において、所定の検波処理が行われ、ステレオ復調回路、ステレオ３８ｋＨｚ発生回路、パイロット信号検出回路などからなる、ステレオ復調部５２において、ステレオ復調処理が施される。そして、ステレオ復調された信号が出力バッファ５３を介してオーディオ出力される。
【０００３】
このようなＦＭ受信機では、ステレオ／モノラルを切り替えて使用することが行われているが、モノラル出力を行う場合でも、ステレオ復調部を信号が通過するために、そのステレオ復調部において消費される電力が無駄になっている。
なお、消費電力を効率的に低減する方法としては、例えば下記特許文献１には、信号の受信開始時刻が予め分かっていて、その受信開始時刻から受信終了時刻までの一定時間、受信動作を継続するような受信機が開示されている。
【０００４】
この受信機においては、上記受信開始時刻付近で電源をオンにして、受信終了までの間の受信動作の各段階に応じて、必要な部分のみを起動するような信号を生成し、その信号に基づいて、各段階で電力をそれが必要とされる部分に供給することで、消費電力を低減している。
【特許文献１】特開平１０−７０５００号公報「受信機」
【発明の開示】
【発明が解決しようとする課題】
【０００５】
しかし、上記特許文献１の技術は、受信信号の受信開始時刻、受信終了時刻などの情報が予めわかっている場合に適用可能な技術であり、この技術をステレオ／モノラルが切替可能なＦＭ受信機に直接適用し、消費電力を低減することはできない。
本発明の課題は、ステレオ／モノラルを切り替えて使用することが可能なＦＭ受信機において、消費電力を低減することが可能なＦＭ受信機を提供することである。
【課題を解決するための手段】
【０００６】
本発明の一態様のＦＭ受信機は、ステレオ／モノラルを切り替えて使用することが可能なＦＭ受信機において、受信した信号に対して検波を行う検波手段と、ステレオ／モノラルのいずれを選択するかを示す制御信号に基づいて、検波された信号を、出力バッファに渡すに際して、ステレオ復調部を介する経路とステレオ復調部をバイパスする経路とから、いずれかの経路を選択するスイッチ手段とを備え、前記ステレオ復調部をバイパスする経路が選択された場合に、前記制御信号に基づいて、前記ステレオ復調部への電力供給をオフにすることを特徴とするＦＭ受信機である。
【０００７】
ここで、モノラルモードが選択された場合には、前記ステレオ復調部をバイパスする経路が選択されると共に、使用しない前記ステレオ復調部への電力供給をオフにするので、消費電力を節約することが可能となる。
上記ステレオ／モノラルの切り替えは、ユーザによる外部からの切替指示に応じて行われてもよい。
【０００８】
また、前記受信した信号の強度を基準値と比較する比較手段を更に有し、前記スイッチ手段は、前記比較手段の出力信号に基づいて、前記受信した信号が前記基準値より大きい場合に、前記ステレオ復調部を介する経路を選択し、および／または、前記受信した信号が前記基準値以下の場合に、前記ステレオ復調部をバイパスする経路を選択することによって、上記ステレオ／モノラルの切り替えが行われてもよい。
【０００９】
それらのいずれの場合においても、前記ステレオ復調部は、前記ユーザによる切替指示、または、前記比較手段の出力信号に基づいて、前記ステレオ復調部を介する経路が選択された場合に、前記ステレオ復調部への電力供給をオフにする。
また、前記スイッチ手段を、前記ステレオ復調部を介する経路と、前記ステレオ復調部をバイパスする経路との分岐の後であり、その分岐の近くに設けると共に、前記ステレオ復調部を介する経路と前記ステレオ復調部をバイパスする経路との合流の前であり、その合流の近くにも設けるようにすれば、不必要な信号の伝播が発生する回路部分（区間）を、減らすことができ、回路動作の安定を阻害要因を縮小できる。
【発明の効果】
【００１０】
本発明のＦＭ受信機によれば、モノラルモードが選択された場合には、前記ステレオ復調部をバイパスする経路が選択されると共に、使用しない前記ステレオ復調部への電力供給をオフにするので、消費電力を節約することが可能となる。
また、前記スイッチ手段を、前記ステレオ復調部を介する経路と、前記ステレオ復調部をバイパスする経路との分岐の後であり、その分岐の近くに設けると共に、前記ステレオ復調部を介する経路と前記ステレオ復調部をバイパスする経路との合流の前であり、その合流の近くにも設けるようにすれば、不必要な信号の伝播が発生する回路部分（区間）を、減らすことができ、回路動作の安定を阻害する要因を縮小できる。
【００１１】
また、本発明のＦＭ受信機では、モノラル音声を出力する場合とステレオ音声を出力する場合とで経路選択を行っているので、モノラルまたはステレオ音声を共通の経路にて出力する場合、すなわち、経路選択を行わない場合に比べて、ステレオ復調部をバイパスしているため、モノラル出力の際の所望とする信号の劣化が軽減され、音声品質を高めることが可能となる。
【発明を実施するための最良の形態】
【００１２】
以下、本発明の実施の形態を、図面を参照しながら詳細に説明する。
図１は、本実施形態のＦＭ受信機の構成を示すブロック図である。なお、図１の少なくとも一部、例えば、切替スイッチ１３、１７、ステレオ復調部１５、経路１、経路２は、ｐチャネルＭＯＳトランジスタとｎチャネルＭＯＳトランジスタを形成できるＣＭＯＳプロセスにより製造される半導体集積回路基盤上に搭載される。
【００１３】
図１において、本実施形態のＦＭ受信機は、ＦＭ検波部１１、切替スイッチ１３、１７、ステレオ復調部１５、出力バッファ１９を備える。
以下、ＦＭ受信機の動作につき、説明する。
まず、ＦＭ電波が、不図示のアンテナを介して受信され、ＦＭ検波部１１にて、検波処理が行われる。ＦＭ検波部１１の後段に設けられた切替スイッチ１３は、ＦＭ受信機のユーザからの指示、例えば受信機面上のボタンの押下、に基づいて、図中の経路１、経路２に選択的に切り替わる。ここで、経路２は、ステレオ復調部１５を介する経路であり、経路１は、ステレオ復調部１５をバイパスする経路である。
【００１４】
上記したユーザによる指示によって、出力バッファ１９を介して出力される音声は、ステレオ出力からモノラル出力に切り替わったり、または、その逆、すなわち、モノラル出力からステレオ出力に切り替わったりする。このユーザの指示は、モノラル出力を行うのかステレオ出力を行うのかを示すパワーイネーブル信号として、切替スイッチ１３、ステレオ復調部１５、切替スイッチ１７に入力される。
【００１５】
バッテリー駆動で長時間使用したい場合や、受信状況が悪い場合のように、ステレオ出力にこだわる理由があまりないような場合は、ユーザは、例えばモノラルモードに切り替えるような指示を出し、その指示内容を示すパワーイネーブル信号によって、検波された信号の経路が、ステレオ復調部１５を介する経路（経路２）からステレオ復調部１５をバイパスする経路（経路１）に切り替わる。ステレオ復調部１５をバイパスする経路が選択された場合、上記パワーイネーブル信号によって、ステレオ復調部１５への電力供給をＯＦＦにすることで、低消費電力化が実現できる。
【００１６】
なお、ユーザによって、ステレオモードに切り替えるような指示が出された場合、その指示内容を示すパワーイネーブル信号によって、検波された信号の経路が、ステレオ復調部１５をバイパスする経路（経路１）からステレオ復調部１５を介する経路（経路２）に切り替わる。ステレオ復調部１５を介する経路が選択された場合、上記パワーイネーブル信号によって、ステレオ復調部１５への電力供給がオンになる。
【００１７】
図２は、本実施形態のＦＭ受信機の変形例を示すブロック図である。
この変形例においては、ユーザによる指示に基づいて、切り替えられていたスイッチは、受信された信号強度に基づいて、自動的に切り替えられるように構成されている。
図２において、ＦＭ受信機は、リミッタ２１により、受信した信号からその受信強度を示す情報、例えばＲＳＳＩ電圧、が出力されて、２入力のコンパレータ２２の一方に入力される。コンパレータ２２の他方には、基準値（基準電圧）が入力され、コンパレータ２２によって、このＲＳＳＩ電圧と基準電圧との比較が行われる。比較結果を示す比較結果信号ＳＷは、コンパレータ２２から出力され、その後段のインバータ２３を介して、比較結果信号ＳＷとその反転信号が、切替スイッチ１３ａ，１３ｂ，１７ａ，１７ｂ，ステレオ復調部１５に入力される。なお、本変形例では、上記受信強度を示す情報が基準値よりも低い場合に、モノラルモードへ切り替わるものとする。
【００１８】
図３は、切替スイッチの具体的な構成を示す回路図であり、（ａ）は切替スイッチ１３ｂ、１７ｂのいずれかを、また、（ｂ）は切替スイッチ１３ａ，１７ａのいずれかを、それぞれ示す図である。
図３（ａ）は、切替スイッチ１３ｂ，１７ｂの回路構成を具体的に示している。ここで、切替スイッチは、比較結果信号ＳＷとその反転信号を入力する２つの制御端子を有する。そして、制御端子に入力されたそれらの値に応じて、入力（ｉｎ）側の信号を出力（ｏｕｔ）側に通過させるか否かのスイッチングを行う。切替スイッチ１３ｂ，１７ｂは、ステレオ復調回路を介する経路上に設けられるスイッチであるので、図の構成は、受信強度が基準値より高い場合に、コンパレータ２２による比較結果信号ＳＷは「Ｈ」に、よって、その反転信号は「Ｌ」に設定される場合を想定している。このような比較結果信号ＳＷ、および、その反転信号に対して、図２の切替スイッチ１３ｂ，１７ｂはオンする（導通状態になる）と共に、切替スイッチ１３ａ，１７ａはオフし（非導通状態になり）、信号は、ステレオ復調部１５を介する経路を通過する。
【００１９】
図３（ｂ）は、切替スイッチ１３ａ，１７ａの回路構成を具体的に示している。ここで、切替スイッチは、比較結果信号ＳＷとその反転信号を入力する２つの制御端子を有する。そして、制御端子に入力されたそれらの値に応じて、入力（ｉｎ）側の信号を出力（ｏｕｔ）側に通過させるか否かのスイッチングを行う。切替スイッチ１３ａ，１７ａは、ステレオ復調回路をバイパスする経路上に設けられるスイッチであるので、図の構成は、受信強度が基準値以下の場合に、コンパレータ２２による比較結果信号ＳＷは「Ｌ」に、よって、その反転信号は「Ｈ」に設定される場合を想定している。このような比較結果信号ＳＷ、および、その反転信号に対して、図２の切替スイッチ１３ａ，１７ａはオンする（導通状態になる）と共に、切替スイッチ１３ｂ，１７ｂはオフし（非導通状態になり）、信号は、ステレオ復調部１５をバイパスする経路を通過する。
【００２０】
なお、切替スイッチ１３、１７としては、図３に示すように、ＭＯＳトランジスタ等の半導体スイッチング素子を採用可能であるが、それ以外の、例えば、メカ的なスイッチを採用することも可能である。
図４は、ステレオ復調部の電力供給に関わる主要部の回路構成（その１）を示す図である。
【００２１】
図４において、ステレオ復調部の電力供給に関わる主要部は、電流源３１と共に、トランジスタ３２、３３、３４から成る第１のトランジスタ群と、トランジスタ３６、３７、３８から成る第２のトランジスタ群とを備える。図に示すように、トランジスタ３２、３３、３４は、Ｐチャネルトランジスタであり、かつ、第１の直流電位側（ＶＤＤ側）に設けられる。また、トランジスタ３６、３７、３８は、Ｎチャネルトランジスタであり、かつ、第２の直流電位側（グランド側）に設けられる。なお、トランジスタ３２のゲートには、比較結果信号ＳＷが、また、トランジスタ３６のゲートには、その比較結果信号ＳＷの反転信号が、それぞれ印加される。
【００２２】
以下に、上記構成の主要部において、電力供給をオフにする際の制御を説明する。
図４において、上記比較結果信号ＳＷが「Ｌ」である場合に、第２の直流電位側（グランド側）に設けられたトランジスタ３６のゲートに、比較結果信号ＳＷの反転信号として「Ｈ」が印加されると、トランジスタ３６は、Ｎチャネルであるので、ＯＮ（導通状態）となり、その第２の直流電位を参照して、そのトランジスタ３６と差動対を形成する他方であり、かつ、同じ第２の直流電位側に設けられた、トランジスタ３７、および／または、同じ第２の直流電位側に設けられた、トランジスタ３８のゲートには「Ｌ」が印加される。この結果、トランジスタ３７および３８はオフ（非導通状態）となる。
【００２３】
一方、第１の直流電位側（ＶＤＤ側）に設けられたトランジスタ３２のゲートに、比較結果信号ＳＷとして「Ｌ」が印加されると、トランジスタ３２は、Ｐチャネルであるので、ＯＮとなり、その第１の直流電位を参照して、そのトランジスタ３２と差動対を形成する他方であり、かつ、同じ第１の直流電位側に設けられた、トランジスタ３３、および／または、同じ第１の直流電位側に設けられた、トランジスタ３４のゲートには「Ｈ」が印加される。この結果、トランジスタ３３および３４はオフ（非導通状態）となる。図では、トランジスタ３４は、例えば多段のトランジスタ回路の１段目を構成しており、このトランジスタ３４をオフにすることにより、後続の回路部分には、電流が流れなくなるので、電力消費が削減できる。
【００２４】
なお、図４のステレオ復調部では、比較結果信号ＳＷとその反転信号との両方を入力して、そのステレオ復調部への電力供給のオン／オフを切り替えるようにしていたが、いずれか一方の入力に基づいて、電力供給のオン／オフを切り替えるようにすることも可能である。そのようなステレオ復調部の構成例を図５に示す。
【００２５】
図５において、比較結果信号ＳＷが「Ｌ」である場合に、第２の直流電位側（グランド側）に設けられたトランジスタ４６のゲートに、比較結果信号ＳＷの反転信号として「Ｈ」が印加されると、トランジスタ４６は、Ｎチャネルであるので、ＯＮ（導通状態）となり、その第２の直流電位を参照して、そのトランジスタ４６と差動対を形成する他方であり、かつ、同じ第２の直流電位側に設けられた、トランジスタ４７、および／または、同じ第２の直流電位側に設けられた、トランジスタ４８のゲートには「Ｌ」が印加される。この結果、トランジスタ４７および４８はオフ（非導通状態）となる。図では、トランジスタ４８は、例えば多段のトランジスタ回路の１段目を構成しており、このトランジスタ４８をオフにすることにより、後続の回路部分には、電流が流れなくなるので、電力消費が削減できる。
【００２６】
図４または図５のステレオ復調部の回路構成は、一例であるが、これらの構成においては、多段を構成する上流側のトランジスタ（図４ではトランジスタ３２、３６、図５ではトランジスタ４６）に、そのトランジスタを導通するような信号を与えることで、そのトランジスタと差動対を構成する他方のトランジスタ（図４ではトランジスタ３３、３７、図５ではトランジスタ４７）を、オフにできるようになっている。
【００２７】
このように、本実施形態では、ステレオ復調部をバイパスする経路が選択された場合に、ステレオ復調部への電力供給をオフにしているので、消費電力を削減することが可能となる。
なお、ステレオ復調部の構成としては、図４や図５に示すものの他、本発明のＦＭ受信機が行う制御によって、電力供給をオン／オフすることが可能な任意の構成のものを採用可能である。
【００２８】
図６は、本実施形態のＦＭ受信機の第２の変形例を示すブロック図である。この第２の変形例においては、切替スイッチは、ユーザによるミュート指示にも対応できるようになっている。
図６において、ＦＭ受信機は、リミッタ２１により、受信した信号からその受信強度を示す情報、例えばＲＳＳＩ電圧、が出力されて、２入力のコンパレータ２２の一方に入力される。コンパレータ２２の他方には、基準値（基準電圧）が入力され、コンパレータ２２によって、このＲＳＳＩ電圧と基準電圧との比較が行われる。比較結果を示す比較結果信号ＳＷは、コンパレータ２２から出力され、その後段の２入力４出力セレクタ２４の一方の入力（端子）から入力される。そのセレクタ２４の他方の入力（端子）には、ユーザによるミュート指示（音声出力を行わない指示）を示す信号（ＭＵＴＥ信号）が入力される。
【００２９】
セレクタ２４は、上記２入力を受け取り、その信号の各値に応じて、下記のような出力信号を生成して、各切替スイッチや、ステレオ復調部に渡す。
１．ＭＵＴＥ信号がＯＮ（ＭＵＴＥ指示が出された）の場合は、比較結果信号ＳＷの値に関係なく、Ａ→Ｌ、Ｂ→Ｌ
２．ＭＵＴＥ信号がＯＦＦ、かつ、比較結果信号ＳＷがモノラルである場合、
Ａ→Ｈ、Ｂ→Ｌ
３．ＭＵＴＥ信号がＯＦＦ、かつ、比較結果信号ＳＷがステレオである場合、
Ａ→Ｌ、Ｂ→Ｈ
以下、個々の場合につき、説明する。
【００３０】
まず、ユーザによってミュート指示が行われた場合、上記セレクタ２４からＡ→Ｌ、Ｂ→Ｌの信号が出力される。この結果、切替スイッチ１３ａ，１７ａの制御端子は、信号Ａ（Ｌ）とその信号Ａの反転信号（Ｈ）を入力して、切替スイッチ１３ａ，１７ａはオフになる。また、切替スイッチ１３ｂ，１７ｂの制御端子は、信号Ｂ（Ｌ）とその信号Ｂの反転信号（Ｈ）を入力して、切替スイッチ１３ｂ，１７ｂはオフになる。また、ステレオ復調部１５は、信号Ｂ（Ｌ）とその信号Ｂの反転信号（Ｈ）を入力することにより、電力供給がカットされる。このように、ミュート指示が行われた場合には、ステレオ復調部１５を介する経路の切替スイッチ１３ｂ，１７ｂ、ステレオ復調部１５をバイパスする経路の切替スイッチ１３ａ，１７ａ、が共にオフになると共に、ステレオ復調部１５への電力供給もオフとなる。
【００３１】
次に、ミュート指示が行われず、かつ、モノラル指示が行われた（あるいは、自動的にモノラルになった）場合、上記セレクタ２４からＡ→Ｈ、Ｂ→Ｌの信号が出力される。この結果、切替スイッチ１３ａ，１７ａの制御端子は、信号Ａ（Ｈ）とその信号Ａの反転信号（Ｌ）を入力して、切替スイッチ１３ａ，１７ａはオンする。また、切替スイッチ１３ｂ，１７ｂの制御端子は、信号Ｂ（Ｌ）とその信号Ｂの反転信号（Ｈ）を入力して、切替スイッチ１３ｂ，１７ｂはオフする。また、ステレオ復調部１５は、信号Ｂ（Ｌ）とその信号Ｂの反転信号（Ｈ）を入力することにより、電力供給がカットされる。このように、モノラル指示が行われた（あるいは、自動的にモノラルになった）場合には、ステレオ復調部１５を介する経路の切替スイッチ１３ｂ，１７ｂがオフになり、かつ、ステレオ復調部１５をバイパスする経路の切替スイッチ１３ａ，１７ａがオンになると共に、ステレオ復調部１５への電力供給がオフとなる。
【００３２】
最後に、ミュート指示が行われず、かつ、ステレオ指示が行われた（あるいは、自動的にステレオになった）場合、上記セレクタ２４からＡ→Ｌ、Ｂ→Ｈの信号が出力される。この結果、切替スイッチ１３ａ，１７ａの制御端子は、信号Ａ（Ｌ）とその信号Ａの反転信号（Ｈ）を入力して、切替スイッチ１３ａ，１７ａはオフになる。また、切替スイッチ１３ｂ，１７ｂの制御端子は、信号Ｂ（Ｈ）とその信号Ｂの反転信号（Ｌ）を入力して、切替スイッチ１３ｂ，１７ｂはオンになる。また、ステレオ復調部１５は、信号Ｂ（Ｈ）とその信号Ｂの反転信号（Ｌ）を入力することにより、電力供給がオンになる。このように、ステレオ指示が行われた（あるいは、自動的にステレオになった）場合には、ステレオ復調部１５を介する経路の切替スイッチ１３ｂ，１７ｂがオンになり、かつ、ステレオ復調部１５をバイパスする経路の切替スイッチ１３ａ，１７ａがオフになると共に、ステレオ復調部１５への電力供給がオンとなる。
【００３３】
なお、図６では、ステレオ／モノラルがコンパレータの判定により自動的に切り替わるようになっているが、ユーザによる指示に基づいて、ステレオ／モノラルを切り替える場合でも、同様にして、ミュート機能を追加して切替スイッチを構成できることはいうまでもない。
【００３４】
また、以上の説明では、切替スイッチは、ステレオ復調部を介する経路と、ステレオ復調部をバイパスする経路との分岐後と、それら経路の合流前とに設けられていたが、いずれか一方に設けるようにしてもよい。しかしながら、より安定化した回路動作を保証するには、分岐後でありその分岐になるべく近い箇所と、合流前でありその合流になるべく近い箇所との双方に設けることが好ましい。
【００３５】
図７は、切替スイッチを設ける位置を説明する図であり、（ａ）は、ステレオ復調部を介する経路とステレオ復調部をバイパスする経路との分岐点の近くにのみ、切替スイッチを設けた場合を、（ｂ）は、それら経路の分岐点および合流点の双方の近辺に切替スイッチを設けた場合を、それぞれ示している。
【００３６】
図７（ａ）において、検波された信号Ｓ１は、分岐点Ｐ１において、信号Ｓ２と信号Ｓ３とに分岐する。図では、ステレオ復調部を介する経路が選択された場合を想定しているので、信号Ｓ３は、切替スイッチ１３ｂ、ステレオ復調部１５、を通過して、合流点Ｐ２に達する。合流点Ｐ２では、信号Ｓ３は、後段の出力バッファに進む信号Ｓ４と、モノラル信号用の経路を逆方向に伝播する信号Ｓ５とに分かれる。ここで、信号Ｓ５のモノラル信号用の経路の逆方向への伝播は、オフである切替スイッチ１３ａが壁となることで、さらに、その経路への順方向への伝播を生じさせる等し、回路動作の安定性を阻害する原因となる。一般に、図の信号Ｓ２および信号Ｓ５が伝播する区間、すなわち、区間Ｘおよび区間Ｙで示す部分（区間Ｘ＋Ｙ）については、上記したような不必要な信号の伝播が発生する区間である。なお、以上の説明からも明らかなように、各経路において、いずれか１箇所に切替スイッチを設ける場合は、上記した不必要な信号が伝播する区間Ｘ＋Ｙの長さは、基本的には、変わらない。
【００３７】
一方、図７（ｂ）に示すように、分岐点Ｐ１の後と合流点Ｐ２の前に、切替スイッチ１３ａ，１３ｂ，１７ａ，１７ｂをそれぞれ設ける場合は、検波された信号Ｓ１は、分岐点Ｐ１において、信号Ｓ２と信号Ｓ３とに分岐する。信号Ｓ３は同様に、切替スイッチ１３ｂ、ステレオ復調部１５、切替スイッチ１７ｂ、を通過して、合流点Ｐ２に達する。合流点Ｐ２では、信号Ｓ３は、後段の出力バッファに進む信号Ｓ４と、モノラル信号用の経路を逆方向に伝播する信号Ｓ５とに分かれる。回路上の不必要な信号が伝播する区間の和Ｘ＋Ｙは、（ａ）と比較し、かなり小さくなり、その小さくなった分だけ、上述の回路動作の安定性の阻害要因が縮小される。なお、この意味では、分岐後の切替スイッチ１３ａ，１３ｂの設置位置は、設計上の必要事項を満たす範囲で、なるべく分岐点に近い方が好ましい。また、合流前の切替スイッチ１７ａ，１７ｂの設置位置は、設計上の必要事項を満たす範囲で、なるべく合流点に近い方が望ましい。
【００３８】
なお、本実施形態のＦＭ受信機では、モノラル音声を出力する場合と、ステレオ音声を出力する場合とで、経路選択を行っているので、モノラルまたはステレオ音声を共通の経路にて出力する場合、すなわち、経路選択を行っていない従来例のような場合と比較し、モノラル出力の際の所望とする信号の劣化が軽減され、音声品質を高めることができる。これは、モノラル出力の際に、ステレオ復調部をバイパスしているため、信号がステレオ復調部を通過する際に生じる劣化が抑えられるためである。
【産業上の利用可能性】
【００３９】
本発明は、ステレオ／モノラルが切替可能なＦＭ受信機に適用することができる。
【図面の簡単な説明】
【００４０】
【図１】本実施形態のＦＭ受信機の構成を示すブロック図である。
【図２】本実施形態のＦＭ受信機の変形例を示すブロック図である。
【図３】切替スイッチの具体的な構成を示す回路図であり、（ａ）は切替スイッチ１３ｂ、１７ｂのいずれかを、また、（ｂ）は切替スイッチ１３ａ，１７ａのいずれかを、それぞれ示す図である。
【図４】ステレオ復調部の電力供給に関わる主要部の回路構成（その１）を示す図である。
【図５】ステレオ復調部の電力供給に関わる主要部の回路構成（その２）を示す図である。
【図６】本実施形態のＦＭ受信機の第２の変形例を示すブロック図である。
【図７】切替スイッチを設ける位置を説明する図であり、（ａ）は、ステレオ復調部を介する経路とステレオ復調部をバイパスする経路との分岐点の近くにのみ、切替スイッチを設けた場合を、（ｂ）は、それら経路の分岐点および合流点の双方の近辺に切替スイッチを設けた場合を、それぞれ示す図である。
【図８】従来例のＦＭ受信機の構成を示すブロック図である。
【符号の説明】
【００４１】
１１  ＦＭ検波部
１３，１７  切替スイッチ
１５  ステレオ復調部
１９  出力バッファ
２１  リミッタ
２２  コンパレータ
２３  インバータ
２４  セレクタ
３１，４１  電流源
３２，３３，３４，３６，３７，３８，４６，４７，４８  トランジスタ
【図１】
2005229313.tif 000003
【図２】
2005229313.tif 000004
【図３】
2005229313.tif 000005
【図４】
2005229313.tif 000006
【図５】
2005229313.tif 000007
【図６】
2005229313.tif 000008
【図７】
2005229313.tif 000009
【図８】
2005229313.tif 000010